(57)【要約】【課題】脚周りにフィットしやすいトランクス型おむつを実現する。【解決手段】おむつ１００における脚周り部１４に、複数の襞を剥離可能に接着してなるプリーツ部２０を形成することで、そのおむつ１００の装着時に、装着者の脚が脚周り部１４に通される際に、その脚周り部１４の開口部１４ａのサイズより太い装着者の大腿部が、襞と襞の接着を剥離するようにプリーツ部２０を脚周り部１４の幅方向（開口部１４の周方向）に広げて、脚周り部１４が装着者の大腿部にフィットするサイズに広がることを可能にした。【選択図】図２
2010227505.tif 000002
【特許請求の範囲】
【請求項１】
装着者の腹側に位置する腹側部と、装着者の背側に位置する背側部と、前記腹側部と前記背側部の間であって装着者の股下に位置する股下部と、前記股下部の幅方向両側方となる装着者の脚周りに位置する二箇所の脚周り部と、を有し、吸収体を備えるトランクス型おむつにおいて、
前記脚周り部には、その脚周り部の開口を装着者の脚周りに密着させるように伸縮する弾性部材が設けられ、
前記脚周り部における前記腹側部側と前記背側部側の少なくとも一方に、前記弾性部材が伸縮する方向に山折りと谷折りが繰り返されてなる複数の襞を剥離可能に接着したプリーツ部が形成されていることを特徴とするトランクス型おむつ。
【請求項２】
前記プリーツ部は、前記脚周り部の開口側ほど、強い強度で接着されていることを特徴とする請求項１に記載のトランクス型おむつ。
【請求項３】
前記脚周り部には、その脚周り部の開口に向かう方向に並ぶ複数列のプリーツ部が形成されており、
隣り合うプリーツ部の山折りと谷折りは、互い違いに形成されていることを特徴とする請求項１又は２に記載のトランクス型おむつ。
【発明の詳細な説明】
【技術分野】
【０００１】
本発明は、トランクス型おむつに関する。
【背景技術】
【０００２】
従来、装着者の腰周りを覆う腰周り部と、装着者の脚周りを覆う脚周り部とを備えるパンツタイプの紙おむつとして、例えば、トランクス型のおむつが知られている（例えば、特許文献１参照。）。
このトランクス型おむつの脚周り部には、スリット状の側面開口部が設けられており、装着者の脚周りのサイズに応じて後身頃側の止着部を前身頃側に止着することで、側面開口部を閉じつつ脚周り部を身体にフィットさせるようになっている。
【先行技術文献】
【特許文献】
【０００３】
【特許文献１】実用新案登録第３１３１２６５号公報
【発明の概要】
【発明が解決しようとする課題】
【０００４】
しかしながら、上記特許文献１の場合、装着者の動作や姿勢の変化などに伴い、止着部が外れたりずれたりしてしまうと、側面開口部が開きやすくなり、脚周り部のフィット性が損なわれ、脚周り部と身体との間に隙間が生じてしまうので、尿などの体液漏れが生じやすくなるという問題があった。
【０００５】
本発明の目的は、脚周りにフィットしやすいトランクス型おむつを提供することである。
【課題を解決するための手段】
【０００６】
以上の課題を解決するため、請求項１に記載の発明は、
装着者の腹側に位置する腹側部と、装着者の背側に位置する背側部と、前記腹側部と前記背側部の間であって装着者の股下に位置する股下部と、前記腹側部と前記背側部の間であって前記股下部の幅方向両側方となる装着者の脚周りに位置する二箇所の脚周り部と、を有し、吸収体を備えるトランクス型おむつにおいて、
前記脚周り部には、その脚周り部の開口を装着者の脚周りに密着させるように伸縮する弾性部材が設けられ、
前記脚周り部における前記腹側部側と前記背側部側の少なくとも一方に、前記弾性部材が伸縮する方向に山折りと谷折りが繰り返されてなる複数の襞を剥離可能に接着したプリーツ部が形成されていることを特徴とする。
【０００７】
請求項２に記載の発明は、請求項１に記載のトランクス型おむつにおいて、
前記プリーツ部は、前記脚周り部の開口側ほど、強い強度で接着されていることを特徴とする。
【０００８】
請求項３に記載の発明は、請求項１又は２に記載のトランクス型おむつにおいて、
前記脚周り部には、その脚周り部の開口に向かう方向に並ぶ複数列のプリーツ部が形成されており、
隣り合うプリーツ部の山折りと谷折りは、互い違いに形成されていることを特徴とする。
【発明の効果】
【０００９】
本発明によれば、トランクス型おむつは、装着者の脚周りに位置する二箇所の脚周り部を有しており、その脚周り部における腹側部側と背側部側の少なくとも一方に、山折りと谷折りが繰り返されて折り縮められてなる複数の襞を剥離可能に接着したプリーツ部が形成されているので、そのトランクス型おむつを装着する際に、装着者の脚（大腿部）の形状に応じてプリーツ部が広がり変形することに伴い、脚周り部を装着者の脚周りにフィットさせることができる。
つまり、プリーツ部の複数の襞は剥離可能に接着されているので、トランクス型おむつを装着する際に、装着者の脚が脚周り部に通されることで、脚周り部の開口のサイズより太い装着者の大腿部が、襞と襞の接着を剥離するようにプリーツ部を脚周り部の幅方向に広げて、その脚周り部が装着者の大腿部にフィットするサイズに広げることができる。
従って、このトランクス型おむつは、装着者の脚周りにフィットさせやすいおむつであるといえる。そして、このトランクス型おむつの脚周り部を装着者の脚周りにフィットさせることで、脚周り部からの体液漏れを低減することができる。
【図面の簡単な説明】
【００１０】
【図１】本発明の実施形態１におけるトランクス型おむつを展開した平面図である。
【図２】本発明の実施形態１におけるトランクス型おむつの斜視図である。
【図３】実施形態１のトランクス型おむつを示す正面図である。
【図４】脚周り部における開口端のプリーツ部を示す拡大図である。
【図５】実施形態２のトランクス型おむつを示す正面図である。
【発明を実施するための形態】
【００１１】
以下、本発明を適用したトランクス型おむつについて説明する。
【００１２】
（実施形態１）
図１は、本発明に係るトランクス型おむつ（以下、「おむつ」という）１００の展開図であって、図２は、おむつ１００を組み立てた斜視図である。
【００１３】
おむつ１００は、図１、図２に示すように、装着時に装着者の腹側に位置する腹側部１１と、装着者の背側に位置する背側部１２と、腹側部１１と背側部１２の間であって装着者の股下に位置する股下部１３と、腹側部１１と背側部１２の間であって股下部１３の幅方向両側方となる装着者の脚周りに位置する二箇所の脚周り部１４、１４と、腹側部１１と背側部１２とからなり装着者の腰周りに位置する腰周り部１５等を有するおむつ本体部２と、おむつ本体部２に取り付けられる吸収性本体部１と、を備えている。
【００１４】
吸収性本体部１は、吸収体１ａと、その吸収体１ａを包装してなる透液性のトップシート１ｂ等を備えて構成され、腹側部１１から両脚の間の股下部１３を通り背側部１２に亘る位置に配されている。
【００１５】
吸収体１ａは、例えば、綿やパルプ等の吸収性素材や、繊維或いはフィルム等のシート状基材と高吸収性ポリマーのような高吸水性樹脂とが組み合わされて形成された吸収体コア（図示省略）が、透液性のクレープ紙（図示省略）等により覆われて構成されている。吸収体１ａは、単層構造であっても良いし、複数層に分かれた構造でも構わない。
【００１６】
トップシート１ｂは、おむつ１００を装着した際に人体に接する面に設けられ、体液を受けて、吸収体１ａまで輸送する役割を果たす透液性のシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維としては、例えば、綿、セルロース（木材パルプ）、羊毛、絹、麻等が挙げられる。
また、化学繊維としては、例えば、ポリエチレン（ＰＥ）やポリプロピレン（ＰＰ）等のオレフィン系、ポリエステル（ＰＥＴ）を含むポリエステル系、ナイロンやアラミド等のポリアミド系、ポリアクリロニトリル（ＰＡＮ）等のアクリル系といった合成繊維の他に、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他に、上記素材を適宜組み合わせたバイコンポーネント繊維（混合繊維）等も用いることができる。
【００１７】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法などの湿式法、接着剤で接合させるケミカルボンド法や、低融点ポリマー及び自己溶融繊維で接合させるサーマルボンド法などの乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００１８】
おむつ本体部２は、おむつ１００装着時に外側に位置し、不透液性シート３を構成する外面シート３ａと、同じく不透液性シート３を構成し、おむつ１００装着時に人体に接する面側に位置する内面シート３ｂとを備えており、外面シート３ａと内面シート３ｂの間の所定の位置に、例えば、糸ゴム等の弾性部材が配設されている。
【００１９】
外面シート３ａおよび内面シート３ｂとして用いる不透液性のシート材としては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
また、その他にも、不透液性を有するフィルム層と、通気性を有する不織布層からなるラミ不織布を用いても良い。ラミ不織布とは、例えば、ポリエチレンシート等に不織布を積層したラミネート不織布と呼ばれる不織布のことであり、不透液性と通気性を併せ持つ不織布である。
【００２０】
腰周り部１５は、腹側部１１の自由端と背側部１２の自由端とが対向して縁をなす腰周り開口部１５ａを形成しており、腰周り部１５には、複数の腰周り弾性部材１５２が配設されている。腰周り部１５は、おむつ１００の上部に位置する。
この腰周り部１５に腰周り弾性部材１５２が配設されていることによって、腰周り部１５が伸縮するので、おむつ１００を装着者の腰周りに密着させて、好適に装着することができる。
また、腹側部１１のおむつ本体部２に取り付けられた吸収体本部１と重なる位置に、腹周り方向に沿って腹側弾性部材１５１が配設されている。この腹側弾性部材１５１は、股下部１３に向かって凸となる曲線状に湾曲するように、腹側部１１の幅方向に亘って設けられており、腹側部１１を装着者に密着させるように伸縮する。
【００２１】
おむつ本体部２の二箇所の脚周り部１４、１４は、おむつ１００の下部に位置する開口部１４ａを有し、その脚周り部１４には、複数の弾性部材が配されている。
具体的には、腹側部１１側の一方の脚周り部１４から、腹側部１１側の他方の脚周り部１４に亘って、股下部１３において背側部１２側に凸となるように曲線状に湾曲してなる前側弾性部材１４１と、背側部１２側の一方の脚周り部１４から、背側部１２側の他方の脚周り部１４に亘って、股下部１３において腹側部１１側に凸となるように曲線状に湾曲してなる後側弾性部材１４２と、が設けられている。
この前側弾性部材１４１と後側弾性部材１４２とは、脚周り部１４の開口部１４ａを装着者の脚周りに密着させるように伸縮するように配設されている。
【００２２】
この脚周り部１４における開口部１４ａの縁となる腹側部１１側には、プリーツ部２０が形成されている。
プリーツ部２０は、脚周り部１４を構成する不透液性シート３が、略蛇腹状に折り返されて形成された複数の襞を有している。
【００２３】
具体的に、プリーツ部２０は、図３、図４に示すように、脚周り部１４における腹側部１１側の不透液性シート３が、前側弾性部材１４１の伸縮方向に山折りと谷折りが繰り返されてなる複数の襞を剥離可能に接着して形成されている。
つまり、プリーツ部２０は、未使用状態のおむつ１００における脚周り部１４の開口部１４ａのサイズが当初最小となるように、脚周り部１４の不透液性シート３が折り縮められている。なお、脚周り部１４の開口部１４ａの当初のサイズが、このおむつ１００の使用対象となる一般的な装着者の大腿部より細いサイズとなるように、プリーツ部２０が形成されている。
そして、プリーツ部２０における襞の折り筋は、ほぼ上下方向に延在しており、このプリーツ部２０における複数の襞を広げることで、脚周り部１４が幅方向（左右方向）に太くなるように変形する。なお、プリーツ部２０の折り筋や折り目によって、脚周り部１４と装着者の脚（大腿部）との間に溝や隙間ができにくい形状に、プリーツ部２０は形成されている。
【００２４】
このプリーツ部２０を形成するために襞と襞を剥離可能に仮止めする接着は、例えば、ヒートシールや超音波シール、ホットメルトなどによって行われる。
特に、プリーツ部２０における複数の襞の仮止めは、脚周り部１４の開口部１４ａに縁側ほど、強い強度で接着されている。この接着強度の違いにより、装着者の膝側となる脚周り部１４の開口側ほど剥離しにくく、装着者の脚の付け根側となる脚周り部１４の上側ほど剥離しやすくなっている。
【００２５】
このように、プリーツ部２０の複数の襞は剥離可能に接着されているので、おむつ１００を装着する際に、装着者の脚が脚周り部１４に通されることで、当初の開口部１４ａのサイズより太い装着者の大腿部が、襞と襞の接着を剥離するようにプリーツ部２０を脚周り部１４の幅方向（開口部１４の周方向）に広げて、脚周り部１４が装着者の大腿部にフィットするサイズに広げられる。
特に、プリーツ部２０の襞の仮止めは、脚周り部１４の開口部１４ａの縁側ほど、強い強度で接着されており、脚周り部１４は装着者の脚の付け根側ほど広がり、脚周り部１４の開口端ほど先細るようにプリーツ部２０が開くので、装着者の大腿部の形状に応じてプリーツ部２０が変形することとなって、脚周り部１４が人体（大腿部）にフィットしやすくなっている。
更に、前側弾性部材１４１と後側弾性部材１４２の収縮によって、脚周り部１４を装着者の脚に密着させることができるので、プリーツ部２０が広がり開いた後でも、脚周り部１４と装着者の脚（大腿部）との間に隙間は生じにくく、脚周り部１４からの尿などの体液漏れが生じにくくなっている。
【００２６】
以上のように、本発明に係るおむつ１００の脚周り部１４には、その脚周り部１４を構成する不透液性シート３が折り縮められて、複数の襞が剥離可能に仮止め接着されてなるプリーツ部２０が形成されているので、おむつ１００を装着する際に、装着者の大腿部の形状に応じてプリーツ部２０が広がり変形することに伴い、脚周り部１４を装着者の脚周りにフィットさせることができる。
そして、おむつ１００の脚周り部１４を装着者の脚周りにフィットさせることで、脚周り部１４からの体液漏れを低減することができる。
【００２７】
（実施形態２）
次に、本発明に係るトランクス型おむつの実施形態２について説明する。なお、実施形態１と同一部分には同一符号を付し、異なる部分についてのみ説明する。
【００２８】
おむつ１１０は、図５に示すように、脚周り部１４に形成された複数列（例えば、上中下段の３列）のプリーツ部３０、３１、３２を備えている。
このプリーツ部３０、３１、３２は、図５に示すように、脚周り部１４において、その脚周り部１４の開口部１４ａの縁側に向かう上下方向に並ぶように形成されており、脚周り部１４の開口端から上方へ順に、プリーツ部３０、プリーツ部３１、プリーツ部３２が設けられている。
各プリーツ部３０、３１、３２は、それぞれ脚周り部１４における腹側部１１側の不透液性シート３が、前側弾性部材（１４１）の伸縮方向である脚周り部１４の幅方向に山折りと谷折りが繰り返されてなる複数の襞を剥離可能に接着して形成されている。なお、プリーツ部における襞の折り筋は、ほぼ上下方向に延在している。
【００２９】
特に、上下に隣り合うプリーツ部の山折りと谷折りは互い違いとなるように形成されている。具体的には、プリーツ部３０とプリーツ部３１の山折りと谷折りは互い違いの配置になっており、プリーツ部３１とプリーツ部３２の山折りと谷折りは互い違いの配置になっている。
【００３０】
このように、各プリーツ部３０、３１、３２の複数の襞は剥離可能に接着されているので、おむつ１１０を装着する際に、装着者の脚が脚周り部１４に通されることで、装着者の大腿部が、襞と襞の接着を剥離するようにプリーツ部３０、３１、３２を脚周り部１４の幅方向（左右方向）に広げて、脚周り部１４が装着者の大腿部にフィットするサイズに変形される。
特に、上下に隣り合う各プリーツ部３０、３１、３２の山折りと谷折りは互い違いの配置となるように形成されており、大腿部の中でも比較的太い脚の付け根側に対応する最上段のプリーツ部３２が、その太い大腿部によって広げられても、プリーツ部３２の折り目の筋は、その下方のプリーツ部３１の折り目の筋と直接つながっていないので、プリーツ部３２が広がる変形はプリーツ部３１の変形に影響しにくくなっている。そして、中段のプリーツ部３１は、そのプリーツ部３１が対応する大腿部の太さに応じて広がるようになっている。
同様に、中段のプリーツ部３１が広がる変形は、その下方のプリーツ部３０の変形に影響しにくくなっており、最下段のプリーツ部３０は、そのプリーツ部３０が対応する大腿部の太さに応じて広がるようになっている。
【００３１】
以上のように、本発明に係るおむつ１１０の脚周り部１４には、その脚周り部１４を構成する不透液性シート３が折り縮められて、複数の襞が剥離可能に仮止め接着されてなる複数列のプリーツ部３０、３１、３２が、それぞれ脚周り部１４の下段、中段、上段に形成されているので、おむつ１１０を装着する際に、装着者の大腿部の形状に応じて各プリーツ部３０、３１、３２が広がり変形することに伴い、脚周り部１４を装着者の脚周りにフィットさせることができる。
特に、各プリーツ部３０、３１、３２が、装着者の大腿部の各部位の太さに応じて、それぞれ独立して広がるようになっているので、脚の付け根から膝側に亘る各部位毎に太さが異なる大腿部であっても、脚周り部１４が大腿部にフィットしやすく変形することができる。
そして、おむつ１１０の脚周り部１４を装着者の脚周りにフィットさせることで、脚周り部１４からの体液漏れを低減することができる。
【００３２】
なお、以上の実施の形態においては、脚周り部１４における腹側部１１側にプリーツ部が形成されたおむつについて説明したが、本発明はこれに限定されるものではなく、例えば、プリーツ部は、脚周り部１４における背側部１２側に形成されてもよく、また、プリーツ部が腹側部１１側と背側部１２側の両方に形成されていてもよい。
【００３３】
また、プリーツ部を構成する複数の襞を形成するための山折りと谷折りの折り目の角度は、例えば、鋭角であっても鈍角であってもよく、また、折り目は、丸みを帯びていても角張っていてもよい。
また、プリーツ部を構成する複数の襞の形状を揃えても、各襞の形状が異なるようにしてもよい。
【００３４】
また、その他、具体的な細部構造等についても適宜に変更可能であることは勿論である。
【符号の説明】
【００３５】
１      吸収性本体部
１ａ    吸収体
１ｂ    トップシート
２      おむつ本体部
３      不透液性シート
１１    腹側部
１２    背側部
１３    股下部
１４    脚周り部
１４ａ  開口部
１４１  前側弾性部材
１４２  後側弾性部材
１５    腰周り部
１５ａ  腰周り開口部
１５１  腹側弾性部材
１５２  腰周り弾性部材
２０    プリーツ部
３０、３１、３２  プリーツ部
１００  おむつ（トランクス型おむつ）
１１０  おむつ（トランクス型おむつ）
【図１】
2010227505.tif 000003
【図２】
2010227505.tif 000004
【図３】
2010227505.tif 000005
【図４】
2010227505.tif 000006
【図５】
2010227505.tif 000007